(57)【特許請求の範囲】
【請求項１】
外部の通話先との音声通話と、擬似通話とを実行する携帯電話装置であって、
前記通話先と通信する通信部と、
前記通信部の通信状態を検出する検出部と、
前記検出部が検出した前記通信状態の変化に基づいて、前記擬似通話を起動又は停止させる制御部と、
スピーカと、
を備え、
前記制御部は、通信可能な状態で一の通話先と音声通話を実行している際に前記通信状態が通信不可能な状態に変化した場合には、前記音声通話を停止した後に、前記スピーカから音声を出力する前記擬似通話を起動させることを特徴とする携帯電話装置。
【請求項２】
請求項１に記載の携帯電話装置であって、
前記制御部は、通信不可能な状態で前記擬似通話を実行している際に前記通信状態が通信可能な状態に変化した場合には、実行中の前記擬似通話を停止させることを特徴とする携帯電話装置。
【請求項３】
請求項２に記載の携帯電話装置であって、
前記制御部は、通信不可能な状態で前記擬似通話を実行している際に前記通信状態が通信可能な状態に変化した場合には、実行中の前記擬似通話を停止させた後に、前記音声通話のために所定の通話先に発呼することを特徴とする携帯電話装置。
【請求項４】
請求項２又は請求項３に記載の携帯電話装置であって、
通信不可能な状態で前記擬似通話を実行している際に前記通信状態が通信可能な状態に変化した場合に、前記変化を報知する報知部を備えることを特徴とする携帯電話装置。
【請求項５】
請求項４に記載の携帯電話装置であって、
前記制御部は、前記擬似通話の起動後に前記通信状態が通信可能な状態に変化した場合には、実行中の前記擬似通話を停止させた後に、前記擬似通話の起動前に前記音声通話を停止した前記一の通話先に発呼することを特徴とする携帯電話装置。
【発明の詳細な説明】
【技術分野】
【０００１】
本発明は、携帯電話装置に関する。
【背景技術】
【０００２】
携帯電話装置は、外部の通話先と音声通話を行うものである。この携帯電話装置の中には、防犯上の観点から、実際の音声通話を行うことなく擬似的に通話を装う擬似通話機能を備えたものがある（特許文献１参照）。このような擬似的な通話を行うことにより、例えば異常が生じた旨を伝えることができるため、犯罪の発生を抑制できる。
【０００３】
なお、ユーザが外部の通話先と音声通話を行うことでも、異常が生じた旨を伝えることができるため、犯罪の発生を抑制することは可能である。
【先行技術文献】
【特許文献】
【０００４】
【特許文献１】特開２００２−３４４５７９号公報
【発明の概要】
【発明が解決しようとする課題】
【０００５】
ところで、例えば、ユーザが前記通話先と音声通話を行っている最中に、電波状態が悪くなって音声通話が途中で中止するため、異常の発生を適切に伝えることができない。かかる際に、操作キーを操作することで擬似通話を行うことは可能であるが、ユーザは、緊迫感等で数多い操作キーの中で所望のキーを適切に操作することが困難と想定される。
【０００６】
本発明は、かかる課題に鑑みてなされたものであり、その目的とするところは、簡易な構成にて防犯効果を高められる携帯電話装置を提供することにある。
【課題を解決するための手段】
【０００７】
外部の通話先との音声通話と、擬似通話とを実行する携帯電話装置であって、前記通話先と通信する通信部と、前記通信部の通信状態を検出する検出部と、前記検出部が検出した前記通信状態の変化に基づいて、前記擬似通話を起動又は停止させる制御部と、スピーカと、を備え、前記制御部は、通信可能な状態で一の通話先と音声通話を実行している際に前記通信状態が通信不可能な状態に変化した場合には、前記音声通話を停止した後に、前記スピーカから音声を出力する前記擬似通話を起動させる。
【０００８】
また、かかる携帯電話装置であって、前記制御部は、通信不可能な状態で前記擬似通話を実行している際に前記通信状態が通信可能な状態に変化した場合には、実行中の前記擬似通話を停止させることが望ましい。
【０００９】
また、かかる携帯電話装置であって、前記制御部は、通信不可能な状態で前記擬似通話を実行している際に前記通信状態が通信可能な状態に変化した場合には、実行中の前記擬似通話を停止させた後に、前記音声通話のために所定の通話先に発呼することが望ましい。
【００１０】
また、かかる携帯電話装置であって、通信不可能な状態で前記擬似通話を実行している際に前記通信状態が通信可能な状態に変化した場合に、前記変化を報知する報知部を備えることが望ましい。
【００１２】
また、かかる携帯電話装置であって、前記制御部は、前記擬似通話の起動後に前記通信状態が通信可能な状態に変化した場合には、実行中の前記擬似通話を停止させた後に、前記擬似通話の起動前に前記音声通話を停止した前記一の通話先に発呼することが望ましい。
【００１３】
さらに、通信部を介した外部の通話先との音声通話と、擬似通話とのいずれか一方を実行する携帯電話装置の制御方法であって、前記通話先との通信状態を検出するステップと、検出した前記通信状態の変化に基づいて、前記擬似通話を起動又は停止させるステップと、を有することを特徴とする携帯電話装置の制御方法。
【発明の効果】
【００１４】
本発明によれば、簡易な構成にて防犯効果を高められる携帯電話装置を提供することが可能となる。
【図面の簡単な説明】
【００１５】
【図１】携帯電話機１の外観斜視図である。
【図２】携帯電話機１の要部構成を示すブロック図である。
【図３】通信状態に応じた擬似通話の制御方法を説明するためのフローチャートである。
【発明を実施するための形態】
【００１６】
＝＝携帯電話機１の構成＝＝
携帯電話装置の一例である携帯電話機１の構成について説明する。図１は、携帯電話機１の外観斜視図である。
【００１７】
携帯電話機１は、第一筐体１１、第一筐体１１の厚さ方向に重ね合わせ可能な第二筐体１２、及び第一筐体１１と第二筐体１２とを相互に折り畳み自在に連結するヒンジ部１３を備えている。ヒンジ部１３は、第一筐体１１の基端部１１ａと第二筐体１２の基端部１２ａとを連結するように配されている。
【００１８】
第二筐体１２の内部には、各種情報を表示する表示領域１４ａを有するＬＣＤ（Liquid
Crystal Display：液晶表示装置）又はＥＬ（Electro Luminescence：有機ＥＬ）ディスプレイ等からなる表示部１４及び通話用のスピーカ１５が設けられている。表示部１４の表示領域１４ａは、第一筐体１１と第二筐体１２とを相互に重ね合わせた状態において第一筐体１１に対向する第二筐体１２の表面１２ｃ側に露出している。スピーカ１５は、基端部１２ａとは反対側に位置する第二筐体１２の先端部１２ｂに配されており、第二筐体１２の表面１２ｃから第二筐体１２の内部空間に貫通する開口部１２ｄを介して外方に露出している。
【００１９】
第一筐体１１の内部には、テンキー１６ａ、通話キー１６ｂ、終話キー１６ｃ、及び多方向キー１６ｄ等の各種の押下操作可能な複数の操作キーを備えるキー操作部１６及び通話用のマイクロフォン１７が設けられている。尚、上記の通話キー１６ｂは擬似通話機能を動作させるキーとしても用いられ、上記の終話キー１６ｃは携帯電話機１の電源をオン（投入）又はオフ（切断）するための電源キーとしても用いられる。キー操作部１６は、第一筐体１１と第二筐体１２とを相互に重ね合わせた状態において第二筐体１２に対向する第一筐体１１の表面１１ｃから外方に露出している。
【００２０】
マイクロフォン１７は、基端部１１ａとは反対側に位置する第一筐体１１の先端部１１ｂに配されており、第一筐体１１の表面１１ｃから第一筐体１１の内部空間に貫通する開口部１１ｄを介して外方に露出している。尚、第一筐体１１の内部には、キースイッチ、シールドケース、回路基板、及びバッテリー（何れも不図示）等が重ねて配されている。また、第一筐体１１内部の先端部１１ｂ側には、無線通信用のアンテナ２１（図２参照）が収容されている。
【００２１】
図２は、携帯電話機１の要部構成を示すブロック図である。携帯電話機１は、図１を用いて説明したスピーカ１５、マイクロフォン１７、キー操作部１６、及び表示部１４に加えて、アンテナ２１、無線通信部２２（通信部）、外部スピーカ２３、メモリ２４、及び制御部２５を備えている。そして、携帯電話機１は、無線通信ネットワーク（図示省略）を介した通話及び通信のみならず、通話を行うことなく擬似的に通話を装う擬似通話が可能である。すなわち、携帯電話機１は、外部との音声通話と、擬似通話とのいずれか一方を実行する。
【００２２】
無線通信部２２は、アンテナ２１を介して無線通信ネットワークの一部をなす基地局（図示省略）との間で無線信号の送受信を行うことで、その無線通信ネットワークを利用する他の携帯電話機のユーザ（通話先）との間の通話を実現するものである。尚、この無線通信部２２は、他のユーザとの間の通話のみならず、電子メールの送受信やホームページの閲覧等も実現可能である。
【００２３】
外部スピーカ２３は、第一筐体１１に内蔵されており、各種の音声を外部に発するために用いられる。この外部スピーカ２３又はスピーカ１５は、通信不可能な状態で擬似通話を実行している際に前記通信状態が通信可能な状態に変化した場合に、前記変化を報知する報知部としての機能も有する。
【００２４】
メモリ２４は、文字、記号、画像等の各種情報や携帯電話機１の各種機能を実現するプログラムを記憶するものであり、例えば不揮発性の半導体メモリによって実現される。なお、メモリ２４には、擬似通話のために用いられる音声データも記憶されている。
【００２５】
制御部２５は、図２に示す各ブロックを制御することにより、携帯電話機１の動作を統括的に制御する。例えば、携帯電話機１のユーザによるキー操作部１６の操作に応じて、無線通信部２２を制御することによって通話又は通信を実現する。この制御部２５は、無線通信部２２で実現される通話状態（通信状態）を検出する検出部２５ａと、携帯電話機１のユーザが擬似的に通話を装う擬似通話を実現する擬似通話部２５ｂと、を備えている。
【００２６】
検出部２５ａは、無線通信ネットワークを利用する他の携帯電話機のユーザが終話操作を行った場合又は電波状態が悪化した場合に、無線通信ネットワークを介して送信されてくる接続を切断する旨の信号が送信されてきたときに通話切断を検出する。或いは、通話が行われている状態において、携帯電話機１のユーザがキー操作部１６に設けられた終話キー１６ｃを操作した場合に通話切断を検出する。
【００２７】
擬似通話部２５ｂは、携帯電話機１のユーザがキー操作部１６に設けられたキー（例えば、通話キー１６ｂ）を操作して擬似通話機能を動作させる指示を行った場合に、メモリ２４に記憶された音声データを読み出すことにより擬似通話を実現する。
【００２８】
＝＝異常発生時に、ユーザが行う音声通話と擬似通話について＝＝
異常発生時に、ユーザは、例えば通信可能な状態であれば、所定の通話先（警察等）に発呼して通話を行うことで、異常を伝えることが可能である。しかし、このような通話を行っている際に、ユーザの移動に伴い電波が悪い状態になって、通話が切断するケースがある。かかる際に、ユーザの取る方策として、例えば、擬似通話機能を行うことが考えられるが、従来における擬似通話は特定のキー操作が必要である。このため、緊迫状態にあるユーザが、適切にキー操作ができないと想定される。
【００２９】
また、逆に、擬似通話は通話を装っているため、第三者が警戒するには有効であるが、長時間擬似通話を行うと通話内容が不自然であるため、第三者が擬似通話を行っていることを気付いてしまう恐れがある。このため、所定の通話先と通話可能な状態（つまり、電波状態が良い状態）には、擬似通話では無く通話先との音声通話を行う方が会話にリアリティがあり、防犯効果を維持できる。
【００３０】
そして、上述した点を考慮して、本実施形態の携帯電話機１は、後述するような、通信状態の変化に基づいて擬似通話を起動又は停止させる制御を行う。これにより、擬似通話機能をより有効に活用して、防犯効果をより高めることが可能となる。
【００３１】
＝＝通信状態に応じた擬似通話の制御方法について＝＝
以下においては、防犯効果を高めるための、通信状態に応じた擬似通話の制御方法について説明する。図３は、通信状態に応じた擬似通話の制御方法を説明するためのフローチャートである。
【００３２】
図３に示す処理は、例えば、異常発生時に携帯電話機１のユーザが、キー操作部１６に設けられた通話キー１６ｂを操作して他の携帯電話機のユーザからの着信に応答した場合、或いは携帯電話機１のユーザが行った発信に対して他の携帯電話機のユーザが応答した場合に開始される。
【００３３】
図３に示す処理が開始されると、まず制御部２５の制御の下で、所定の通話先（防犯センターや警察等）との通話処理が無線通信部２２で行われる（ステップＳ２）。この通話処理中に、検出部２５ａは、無線通信部２２による通信中の電波状態（通信状態）を検出する（ステップＳ４）。なお、通話中に携帯電話機１の所有者が移動すると、基地局との距離が変動し、又は電波経路上に遮蔽物が存在することで、電波状態が変動する。このような電波状態の変動を、検出部２５ａが検出する。
【００３４】
そして、検出部２５ａによって電波状態が悪い（この結果、通話が切断した）と検出された場合には（ステップＳ４：Ｙｅｓ）、制御部２５は、ステップＳ２で通話を行った通話先情報（具体的には、通信先の電話番号等）と、ステップＳ２の通話が自分からの発信によるものか相手先からの着信によるものかの通話契機情報とを、メモリ２４に記憶する（ステップＳ６）。一方で、制御部２５は、検出部２５ａによる電波状態が良いと検出されている間（ステップＳ４：Ｎｏ）は、ステップＳ２の通話処理を継続する。
【００３５】
ステップＳ６の処理後、制御部２５は、キー操作を行わずに擬似通話機能を自動起動させる設定になっている場合は（ステップＳ８：Ｙｅｓ）、スピーカ１５又は外部スピーカ２３（以下、スピーカ１５等と呼ぶ）から音声ガイダンス（具体的には、電波状態が悪くなった旨のガイダンスと、擬似通話機能を起動させるか否かのガイダンス）を出力させる（ステップＳ１０）。これにより、擬似通話機能を起動させるか否かを、ユーザの判断に委ねることができる。なお、擬似通話機能の自動起動については、ユーザが予め設定できるようになっている。
【００３６】
そして、出力された音声ガイダンスを聞いたユーザが、所定のキャンセルキー（例えば、終話キー１６ｃ）を押下した場合には（ステップＳ１２：Ｙｅｓ）、擬似通話の起動がキャンセルされ、ユーザが前記キャンセルキーを押下しない場合には（ステップＳ１２：Ｎｏ）、擬似通話が起動されることとなる。すなわち、制御部２５は、通信可能な状態で音声通話を実行している際に前記通信状態が通信不可な状態に変化した場合には、実行中の音声通話を停止した後に、前記擬似通話を起動させる。
【００３７】
ここでは、ユーザがキャンセルキーを押下せず、擬似通話が起動したものとして説明する。擬似通話の起動後、ユーザは、例えば、スピーカ１５等から出力される音声ガイダンスに応答しながら、擬似通話を行うこととなる。ユーザによる擬似通話を見た第三者（ユーザに危害を加えようとする者）は、警戒心を抱きユーザに危害を加えることを躊躇することとなる。
【００３８】
ところで、擬似通話の起動後も、検出部２５ａは、電波状態の検出を継続している（ステップ１６）。そして、電波状態が悪い間は（ステップＳ１６：Ｎｏ）、制御部２５（擬似通話部２５ｂ）は、擬似通話を継続する。これにより、電波状態が悪く外部との音声通話ができなくても、擬似通話を行うことで、防犯効果を高めることができる。
【００３９】
一方で、電波状態が回復（悪い状態から良い状態へ移行）して、検出部２５ａにより電波状態が良いと検出された場合には（ステップＳ１６：Ｙｅｓ）、制御部２５は、実行中の擬似通話を強制的に停止する（ステップＳ１８）。すなわち、制御部２５は、通信不可能な状態で擬似通話を実行している際に通信状態が通信可能な状態に変化した場合には、実行中の擬似通話を停止させる。
【００４０】
擬似通話の停止後に、制御部２５は、ステップＳ６で記憶された通話契機情報に基づいて、ステップＳ２の通話が相手先の着信に応答することで行われたものか、或いは、通話キー１６ｂに操作により相手先に発信することで行われたものかを判断する（ステップＳ２０）。
【００４１】
そして、ステップＳ２の通話が自分からの発信によるものと判断した場合には（ステップＳ２０：Ｙｅｓ）、制御部２５は、スピーカ１５等から音声ガイダンス（具体的には、電波状態が回復した旨のガイダンス）を出力させる（ステップＳ２４）。これにより、ユーザは、通常の音声通話が可能な状態になったことに気付く。
【００４２】
そして、制御部２５（擬似通話部２５ｂ）は、ステップＳ６で記憶した通話先情報に基づいて、ステップＳ２で通話した通話先に発呼する（ステップＳ２４）。この際、ユーザが通話キー１６ｂの操作を行う必要は無く、擬似通話状態から、音声通話状態へ自動的に移行する。これにより、緊急状態に居てキー操作を行う精神状態に無いユーザであっても、迅速に音声通話を行うことができるので、防犯効果を維持できる。
【００４３】
ステップＳ２０において、ステップＳ２の通話が相手先の着信によるものと判断した場合には（ステップＳ２０：Ｎｏ）、制御部２５は、スピーカ１５等から音声ガイダンス（具体的には、電波状態が回復した旨のガイダンスと、自動発呼を行う旨のガイダンス）を出力させる（ステップＳ２６）。このように、スピーカ１５は、通信不可能な状態で擬似通話を実行している際に通信状態が通話可能な状態に変化した場合に、前記変化を報知する。
【００４４】
そして、出力された音声ガイダンスを聞いたユーザが、所定のキャンセルキー（例えば、終話キー１６ｃ）を押下した場合には（ステップＳ２８：Ｙｅｓ）、音声通話は行われない。一方で、前記キャンセルキーが押下されない場合には（ステップＳ２８：Ｎｏ）、制御部２５は、ステップＳ６で記憶した通話先情報に基づいて、ステップＳ２で通話した通話先に発呼する（ステップＳ２４）。
【００４５】
上述したように、本実施形態に係る携帯電話機１は、外部との通信状態を検出し、検出した前記通信状態の変化に基づいて、前記擬似通話を起動又は停止させる。これにより、専用キーの操作をしなくても、擬似通話を起動又は停止させることができ、操作キーの操作を適切に行い難い心理状況にあるユーザにとって、利便性の高い（より防犯効果の高い）携帯電話機１を提供することができる。
【００４６】
特に、携帯電話機１は、通信可能な状態で音声通話（防犯センター等との通話）を実行している際に通信状態が通信不可な状態に変化した場合には、前記音声通話を停止した後に、前記擬似通話を起動させる。これにより、通信可能状態から通信不可能状態に遷移しても、操作キーの操作を行わずに迅速に擬似通話を行うことで、防犯効果を維持できる。
【００４７】
また、携帯電話機１は、通信不可能な状態で擬似通話を実行している際に通信状態が通信可能な状態に変化した場合には、実行中の擬似通話を停止させた後に、音声通話のために所定の通信先に発呼する。これにより、通信可能状態に移行した際に防犯センター等と通話をすることで、擬似通話を継続した場合に比べて、よりリアリティの高い通話を行うことになる。このため、第三者がより警戒感を抱くことになり、より防犯効果を高められる。
【００４８】
なお、上記においては、擬似通話前に防犯センター等と通話しているケースについて、説明したが、これに限定されない。例えば、まず擬似通話を行い、その擬似通話中に電波状態が回復された場合に、擬似通話を停止して所定の通話先（例えば、予め登録されている防犯センターや警察）に発呼することとしても良い。
【００４９】
＝＝その他の実施形態＝＝
一実施形態としての携帯電話装置等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５０】
また、上記実施の形態においては、携帯電話装置として携帯電話機１について説明しているが、これに限定されず、ＰＨＳ（登録商標：Ｐｅｒｓｏｎａｌ  Ｈａｎｄｙ  Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置等であっても良い。
【００５１】
また、上記実施の形態においては、携帯電話機１として折り畳み式の携帯電話機を例に挙げて説明しているが、これに限定されない。例えば、ストレート式等の折り畳まない携帯電話機であっても良い。つまり、表示部が置き台に対向する構成の携帯電話機であれば、如何なる形態であっても良い。
【符号の説明】
【００５２】
１  携帯電話機
１１  第一筐体
１２  第二筐体
１３  ヒンジ部
１４  表示部
１５  スピーカ
１６  キー操作部
１７  マイクロフォン
２１  アンテナ
２２  無線通信部
２３  外部スピーカ
２４  メモリ
２５  制御部
２５ａ  検出部
２５ｂ  擬似通話部
【図１】
0005414456.tif 000002
【図２】
0005414456.tif 000003
【図３】
0005414456.tif 000004